(57)【要約】【課題】  ＦＰＣをゼロ挿入力で挿入可能とすると共に、挿入したＦＰＣを安定的に仮保持状態に維持できるようにしたＦＰＣ用コネクタを提供する。【解決手段】  ＦＰＣ用コネクタ１０は、絶縁ハウジング２０と、第１の端子４０と、第２の端子６０と、アクチュエータ８０を有している。第１の端子４０のフック状ビーム４４に形成した押下突部４８と、固定ビーム４１に設けたコンタクト部４７の間隔が、アクチュエータ８０の姿勢変化を介して、ＦＰＣの厚みより狭い間隔と広い間隔の間で変化できるようにしてＦＰＣをゼロ挿入力で挿入できるようにした。また、端子４０、６０から受ける反力が釣り合ってアクチュエータ８０が停止するようにし、その停止姿勢でＦＰＣを仮保持するようにした。【選択図】  図１
2006024373.tif 000002
【特許請求の範囲】
【請求項１】
前端（２１）側にＦＰＣ受入空洞（２２）が形成されている絶縁ハウジング（２０）と、
絶縁ハウジング（２０）の前端（２１）側から装着された複数の第１の端子（４０）と、絶縁ハウジング（２０）の後端（２９）側から装着された複数の第２の端子（６０）と、
ＦＰＣ受入空洞（２２）に挿入されたＦＰＣ（１００）の接点と端子（４０、６０）に設けられたコンタクト部（４７、６５）との間に所定の接圧を形成するためのアクチュエータ（８０）であって、絶縁ハウジング（２０）に対する姿勢が変化できるように組み付けられているアクチュエータ（８０）とを備え、
前記第１の端子（４０）のコンタクト部（４７）と第２の端子（６０）のコンタクト部（６５）がＦＰＣ受入空洞（２２）に配置されているＦＰＣ用コネクタ（１０）において、
前記第１の端子（４０）からフック状ビーム（４４）がＦＰＣ受入空洞（２２）の上部に延びていると共に、前記第２の端子（６０）からガイドビーム（６４）がＦＰＣ受入空洞（２２）の上部に延びており、
前記フック状ビーム（４４）の先端に形成されたフック部（４６）にアクチュエータ（８０）に設けられた係合ピン（８５）が収容され、前記ガイドビーム（６４）の先端にアクチュエータ（８０）に設けられた溝（８４）が嵌合されて、アクチュエータ（８０）の姿勢変化によって、アクチュエータ（８０）がガイドビーム（６４）に乗り上げると共に、アクチュエータ（８０）の係合ピン（８５）がフック状ビーム（４４）を押し上げるようにされ、
アクチュエータ（８０）の姿勢変化によってフック状ビーム（４４）の中間部に設けて端子（４０）のコンタクト部（４７）と対向するようにした押下突部（４８）の上下方向の位置を変化させて、押下突部（４８）とコンタクト部（４７）の間隔をＦＰＣ（１００）の厚さ（ｔ）より狭い間隔と広い間隔の間で変化できるように構成されていると共に、
アクチュエータ（８０）の姿勢変化の途中で、アクチュエータ（８０）が端子（４０、６０）側から受ける反力の釣り合いによって停止するようにされ、この停止した姿勢では、前記押下突部（４８）とコンタクト部（４７）との間隔がＦＰＣ（１００）の厚さ（ｔ）と同じ、あるいはより狭く設定されていることを特徴とするＦＰＣ用コネクタ。
【請求項２】
前記第１の端子（４０）のコンタクト部(４７)と第２の端子（６０）のコンタクト部（６５）がＦＰＣ受入空洞(２２)に千鳥状に配置されている請求項１に記載のＦＰＣ用コネクタ。
【請求項３】
前記アクチュエータ（８０）は、ＦＰＣ（１００）を端子（４０、６０）のコンタクト部（４７、６５）に向けて付勢する押圧部（８６）を有しており、ＦＰＣ（１００）の挿入方向においてこの押圧部（８６）が千鳥状に配置されたコンタクト部（４７、６５）の中間に配置され、前記フック状ビーム（４４）の押下突部（４８）が千鳥状に配置されたコンタクト部（４７、６５）より前方に配置されている請求項１に記載のＦＰＣ用コネクタ。
【請求項４】
前記第１の端子（４０）は、ＦＰＣ受入空洞（２２）の下部に沿って延びる固定ビーム（４１）を有し、この固定ビーム（４１）の上縁にコンタクト部（４７）が突出して形成されている請求項１〜３のいずれかに記載のＦＰＣ用コネクタ。
【請求項５】
前記第２の端子（６０）は、ＦＰＣ受入空洞（２２）の下部に片持ち梁状に延びるコンタクトビーム（６３）を有し、このコンタクトビーム（６３）の先端部上縁にコンタクト部（６５）が突出して形成されている請求項１〜４のいずれかに記載のＦＰＣ用コネクタ。
【請求項６】
前記絶縁ハウジング（２０）の両側端部に沿ってネイル（１１）が装着され、このネイル（１１）の上縁（１３ａ）と前記アクチュエータ（８０）の両側端部に突出して設けたボス（８７）が対向しており、この対向構造と、前記係合ピン（８５）をフック部（４６）に収容した構造が協働して、組み付けられたアクチュエータ（８０）の脱落が防止されている請求項１〜５のいずれかに記載のＦＰＣ用コネクタ。
【請求項７】
前端（２１）側にＦＰＣ受入空洞（２２）が形成されている絶縁ハウジング（２０）と、
絶縁ハウジング（２０）の前端（２１）側から装着された複数の第１の端子（４０）と、絶縁ハウジング（２０）の後端（２９）側から装着された複数の第２の端子（６０）と、
ＦＰＣ受入空洞（２２）に挿入されたＦＰＣ（１００）の接点と端子（４０、６０）に設けられたコンタクト部（４７、６５）との間に所定の接圧を形成するためのアクチュエータ（８０）であって、絶縁ハウジング（２０）に対する姿勢が変化できるように組み付けられているアクチュエータ（８０）とを備え、
前記第１の端子（４０）のコンタクト部（４７）と第２の端子（６０）のコンタクト部（６５）がＦＰＣ受入空洞（２２）に配置されているＦＰＣ用コネクタ（１０）において、
前記第１の端子（４０）からフック状ビーム（４４）がＦＰＣ受入空洞（２２）の上部に延びていると共に、前記第２の端子（６０）からガイドビーム（６４）がＦＰＣ受入空洞（２２）の上部に延びており、
前記フック状ビーム（４４）の先端に形成されたフック部（４６）にアクチュエータ（８０）に設けられた係合ピン（８５）が収容され、前記ガイドビーム（６４）の先端にアクチュエータ（８０）に設けられた溝（８４）が嵌合されて、アクチュエータ（８０）の姿勢変化によって、アクチュエータ（８０）がガイドビーム（６４）に乗り上げると共に、アクチュエータ（８０）の係合ピン（８５）がフック状ビーム（４４）を押し上げるようにされ、
前記アクチュエータ（８０）が、端子（４０、６０）のコンタクト部（４７、６５）とＦＰＣ（１００）の接点との間に所定の接圧を形成する接続姿勢と、ＦＰＣ受入空洞（２２）に挿入されたＦＰＣ（１００）を仮保持する仮保持姿勢と、ＦＰＣ受入空洞（２２）にＦＰＣ（１００）をゼロ挿入力で挿入できる挿入待機姿勢とをとり得るようにされていることを特徴とするＦＰＣ用コネクタ。
【請求項８】
前記第１の端子（４０）のコンタクト部(４７)と第２の端子（６０）のコンタクト部（６５）がＦＰＣ受入空洞(２２)に千鳥状に配置されている請求項７に記載のＦＰＣ用コネクタ。
【請求項９】
前記仮保持姿勢は、アクチュエータ（８０）が端子（４０、６０）側から受ける反力の釣り合いによって停止するようにされている請求項７に記載のＦＰＣ用コネクタ。
【請求項１０】
前端（２１）側にＦＰＣ受入空洞（２２）が形成されている絶縁ハウジング（２０）と、
絶縁ハウジング（２０）の前端（２１）側から装着された複数の第１の端子（４０）と、絶縁ハウジング（２０）の後端（２９）側から装着された複数の第２の端子（６０）と、
ＦＰＣ受入空洞（２２）に挿入されたＦＰＣ（１００）の接点と端子（４０、６０）に設けられたコンタクト部（４７、６５）との間に所定の接圧を形成するためのアクチュエータ（８０）であって、絶縁ハウジング（２０）に対する姿勢が変化できるように組み付けられているアクチュエータ（８０）とを備え、
前記第１の端子（４０）のコンタクト部（４７）と第２の端子（６０）のコンタクト部（６５）がＦＰＣ受入空洞（２２）に配置されているＦＰＣ用コネクタ（１０）において、
前記第１の端子（４０）からフック状ビーム（４４）がＦＰＣ受入空洞（２２）の上部に延びていると共に、前記第２の端子（６０）からガイドビーム（６４）がＦＰＣ受入空洞（２２）の上部に延びており、
前記フック状ビーム（４４）の先端に形成されたフック部（４６）にアクチュエータ（８０）に設けられた係合ピン（８５）が収容され、前記ガイドビーム（６４）の先端にアクチュエータ（８０）に設けられた溝（８４）が嵌合されて、アクチュエータ（８０）の姿勢変化によって、アクチュエータ（８０）がガイドビーム（６４）に乗り上げると共に、アクチュエータ（８０）の係合ピン（８５）がフック状ビーム（４４）を押し上げるようにされ、
前記第１の端子（４０）のコンタクト部（４７）がＦＰＣ（１００）の下面に設けられた接点と対向して突出して形成してあり、前記フック状ビーム（４４）の中間部に、前記
コンタクト部（４７）に対してＦＰＣ（１００）の挿入方向で前方に対向する押下突部（４８）が設けられていることを特徴とするＦＰＣ用コネクタ。
【請求項１１】
前記ＦＰＣ受入空洞（２２）の最奥部に、ＦＰＣ（１００）の先端部を保持する凹入部（３０）が設けられている請求項１０に記載のＦＰＣ用コネクタ。
【請求項１２】
前記第１の端子（４０）のコンタクト部（４７）は、ＦＰＣ受入空洞（２２）の下部に沿って延びる固定ビーム（４１）の上縁に、ＦＰＣ（１００）の下面に設けられた接点と対向するように、突出して形成されている請求項１０に記載のＦＰＣコネクタ。
【請求項１３】
前記第１の端子（４０）のコンタクト部（４７）と第２の端子（６０）のコンタクト部（６５）がＦＰＣ受入空洞（２２）に千鳥状に配置されている請求項１０に記載のＦＰＣ用コネクタ。
【発明の詳細な説明】
【技術分野】
【０００１】
この発明は、ＦＰＣ、ＦＦＣなどと一般に呼ばれている平型柔軟ケーブル（この明細書では、これらを単に「ＦＰＣ」と言う）をプリント回路基板に接続するためのＦＰＣ用コネクタに関する。
【背景技術】
【０００２】
ＦＰＣ用コネクタは、これまで多くのものが提案され、実用に供されている。そのうちの一つとして、前端側にＦＰＣ受入空洞が形成されている絶縁ハウジングと、絶縁ハウジングの前端側から装着された複数の第１の端子と、絶縁ハウジングの後端側から装着された複数の第２の端子と、ＦＰＣ受入空洞に挿入されたＦＰＣの接点と端子に設けられたコンタクト部との間に所定の接圧を形成するためのアクチュエータであって、絶縁ハウジングに対して回動可能に組み付けられているアクチュエータとを備え、前記第１の端子のコンタクト部と第２の端子のコンタクト部がＦＰＣ受入空洞に千鳥状に配置されている構成のものがある。
【０００３】
【特許文献１】特開２００２−１３４１９４号公報  （００２３〜００４４、図１〜４）
【特許文献２】特開２００２−３２９５３６号公報  （０００７〜００１２、図１〜図６）
【特許文献３】特開２００３−４５５２６号公報  （００１５〜００２６、図１〜図１１）
【発明の開示】
【発明が解決しようとする課題】
【０００４】
このような、端子のコンタクト部をＦＰＣ受入空洞で千鳥状に配置した構成のものにおいては、ＦＰＣの挿入方向で見て前方（ＦＰＣ受入空洞の奥）のコンタクト部には、端子に設けた突部や、絶縁ハウジングに形成した支持面をＦＰＣの厚みに比べて狭い間隔で対向させて、これらの対向部にＦＰＣを挿入するようにしていたので、挿入抵抗があり、接続の作業性が損なわれていた。また、挿入抵抗があるために、ＦＰＣの挿入の際にコンタクト部を損傷したり、ＦＰＣの接点を傷付けるなどの問題もあった。
このような挿入抵抗がないように、コンタクト部と、対向させた端子の突部や絶縁ハウジングの支持面との間隔をＦＰＣの厚さよりも広くしたり、アクチュエータで端子の突部を引き上げて、ＦＰＣをゼロ挿入力（ｚｅｒｏ  ｉｎｓａｒｔｉｏｎ  ｆｏｒｃｅ：ＺＩＦ）で挿入できるようにする提案もあるが、ＦＰＣの挿入が容易となり、またコンタクト部や接点の損傷をなくすることが可能である反面、挿入したＦＰＣを安定して仮保持状態に維持できないため、接続の作業性の点で改善が求められていた。
【０００５】
この発明は、このような事情に鑑みてなされたもので、ＦＰＣをゼロ挿入力で挿入可能とすると共に、挿入したＦＰＣを安定的に仮保持状態に維持できるようにしたＦＰＣ用コネクタを提供することを主要な目的としている。
更に、この発明は、低背化が可能なＦＰＣ用コネクタを提供することを別の目的としている。
【課題を解決するための手段】
【０００６】
上記の如くの目的のもとになされたこの発明のうち請求項１の発明は、前端側にＦＰＣ受入空洞が形成されている絶縁ハウジングと、
絶縁ハウジングの前端側から装着された複数の第１の端子と、絶縁ハウジングの後端側から装着された複数の第２の端子と、
ＦＰＣ受入空洞に挿入されたＦＰＣの接点と端子に設けられたコンタクト部との間に所定の接圧を形成するためのアクチュエータであって、絶縁ハウジングに対する姿勢が変化できるように組み付けられているアクチュエータとを備え、
前記第１の端子のコンタクト部と第２の端子のコンタクト部がＦＰＣ受入空洞に配置されているＦＰＣ用コネクタにおいて、
前記第１の端子からフック状ビームがＦＰＣ受入空洞の上部に延びていると共に、前記第２の端子からガイドビームがＦＰＣ受入空洞の上部に延びており、
前記フック状ビームの先端に形成されたフック部にアクチュエータに設けられた係合ピンが収容され、前記ガイドビームの先端にアクチュエータに設けられた溝が嵌合されて、アクチュエータの姿勢変化によって、アクチュエータがガイドビームに乗り上げると共に、アクチュエータの係合ピンがフック状ビームを押し上げるようにされ、
アクチュエータの姿勢変化によってフック状ビームの中間部に設けて端子のコンタクト部と対向するようにした押下突部の上下方向の位置を変化させて、押下突部とコンタクト部の間隔をＦＰＣの厚さより狭い間隔と広い間隔の間で変化できるように構成されていると共に、
アクチュエータの姿勢変化の途中で、アクチュエータが端子側から受ける反力の釣り合いによって停止するようにされ、この停止した姿勢では、前記押下突部とコンタクト部との間隔がＦＰＣの厚さと同じ、あるいはより狭く設定されていることを特徴とするＦＰＣ用コネクタである。
【０００７】
また、請求項７の発明は、前端側にＦＰＣ受入空洞が形成されている絶縁ハウジングと、
絶縁ハウジングの前端側から装着された複数の第１の端子と、絶縁ハウジングの後端側から装着された複数の第２の端子と、
ＦＰＣ受入空洞に挿入されたＦＰＣの接点と端子に設けられたコンタクト部との間に所定の接圧を形成するためのアクチュエータであって、絶縁ハウジングに対する姿勢が変化できるように組み付けられているアクチュエータとを備え、
前記第１の端子のコンタクト部と第２の端子のコンタクト部がＦＰＣ受入空洞に配置されているＦＰＣ用コネクタにおいて、
前記第１の端子からフック状ビームがＦＰＣ受入空洞の上部に延びていると共に、前記第２の端子からガイドビームがＦＰＣ受入空洞の上部に延びており、
前記フック状ビームの先端に形成されたフック部にアクチュエータに設けられた係合ピンが収容され、前記ガイドビームの先端にアクチュエータに設けられた溝が嵌合されて、アクチュエータの姿勢変化によって、アクチュエータがガイドビームに乗り上げると共に、アクチュエータの係合ピンがフック状ビームを押し上げるようにされ、
前記アクチュエータが、端子のコンタクト部とＦＰＣの接点との間に所定の接圧を形成する接続姿勢と、ＦＰＣ受入空洞に挿入されたＦＰＣを仮保持する仮保持姿勢と、ＦＰＣ受入空洞にＦＰＣをゼロ挿入力で挿入できる挿入待機姿勢とをとり得るようにされていることを特徴とするＦＰＣ用コネクタである。
【０００８】
更に、低背化の目的のもとになされた請求項１０の発明は、前端側にＦＰＣ受入空洞が形成されている絶縁ハウジングと、
絶縁ハウジングの前端側から装着された複数の第１の端子と、絶縁ハウジングの後端側から装着された複数の第２の端子と、
ＦＰＣ受入空洞に挿入されたＦＰＣの接点と端子に設けられたコンタクト部との間に所定の接圧を形成するためのアクチュエータであって、絶縁ハウジングに対する姿勢が変化できるように組み付けられているアクチュエータとを備え、
前記第１の端子のコンタクト部と第２の端子のコンタクト部がＦＰＣ受入空洞に配置されているＦＰＣ用コネクタにおいて、
前記第１の端子からフック状ビームがＦＰＣ受入空洞の上部に延びていると共に、前記第２の端子からガイドビームがＦＰＣ受入空洞の上部に延びており、
前記フック状ビームの先端に形成されたフック部にアクチュエータに設けられた係合ピンが収容され、前記ガイドビームの先端にアクチュエータに設けられた溝が嵌合されて、アクチュエータの姿勢変化によって、アクチュエータがガイドビームに乗り上げると共に、アクチュエータの係合ピンがフック状ビームを押し上げるようにされ、
前記第１の端子のコンタクト部がＦＰＣの下面に設けられた接点と対向して突出して形成してあり、前記フック状ビームの中間部に、前記コンタクト部に対してＦＰＣの挿入方向で前方に対向する押下突部が設けられていることを特徴とするＦＰＣ用コネクタである。
【発明の効果】
【０００９】
請求項１の発明によれば、アクチュエータの姿勢変化によって、端子に設けた押下突部とコンタクト部の間隔をＦＰＣの厚さより狭い間隔と広い間隔の間で変化できるように構成したので、広い間隔としてＦＰＣをゼロ挿入力で挿入し、端子のコンタクト部やＦＰＣの接点を損傷するのを避けることができる。そして、アクチュエータの姿勢変化の途中では、アクチュエータが端子側から受ける反力の釣り合いによって停止するようにし、この停止した姿勢では、前記押下突部とコンタクト部との間隔がＦＰＣの厚さより狭く設定したので、挿入したＦＰＣを安定して仮保持状態に維持することができ、ＦＰＣ接続の作業性を改善することができる。
【００１０】
また、請求項７の発明によれば、アクチュエータは、端子のコンタクト部とＦＰＣの接点との間に所定の接圧を形成する接続姿勢と、ＦＰＣ受入空洞に挿入されたＦＰＣを仮保持する仮保持姿勢と、ＦＰＣ受入空洞にＦＰＣをゼロ挿入力で挿入できる挿入待機姿勢とをとり得るようにされているので、ＦＰＣの挿入が容易で、しかも挿入されたＦＰＣを安定して仮保持状態に維持できるＦＰＣ用コネクタを構成することができる。
【００１１】
また、請求項１０の発明によれば、第１の端子が、ＦＰＣ受入空洞の下部に沿って延びる固定ビームを有し、この固定ビームの上縁にＦＰＣの下面に設けられた接点と対向するコンタクト部が突出して形成されているので、コンタクト部が上下方向で移動しない固定部分を構成し、コネクタの低背化を可能にできる。さらに、第１の端子のフック状ビームの中間部に、第１の端子のコンタクト部に対してＦＰＣの挿入方向で前方で対向する押下突部が設けられているので、ＦＰＣを引き回した際に、ＦＰＣが浮き上がってコンタクト部から遊離することを防止できる。
【発明を実施するための最良の形態】
【００１２】
以下、この発明の実施の形態を添付の図を参照して説明する。
【００１３】
図１は、図２に外観を示している実施形態のＦＰＣ用コネクタ１０の断面を表している。ＦＰＣ用コネクタ１０は、絶縁ハウジング２０、第１の端子４０、第２の端子６０、ネイル１１及びアクチュエータ８０を有しており、図１（ａ）は第１の端子４０に沿って、図１（ｂ）は第２の端子６０に沿って、そして図１（ｃ）はネイル１１に沿って示されている。ＦＰＣ１００の接続操作を説明する図３〜図８においても同一部分の断面となっている。
【００１４】
絶縁ハウジング１０は、絶縁性のプラスチックを成形してなり、前端２１（図１において左端）側にＦＰＣ受入空洞２２が形成されている。ＦＰＣ受入空洞２２は前端２１と上面２３で開口している。絶縁ハウジング２０には、幅方向（図１において紙面に垂直の方向）で、第１の端子４０のための装着溝２４と第２の端子６０のための装着溝２５が交互に設けられている。また、絶縁ハウジング２０の幅方向両側端部にはネイル１１のための装着溝２６が前記装着溝２４、２５と平行に設けられている。絶縁ハウジング２０は、底壁２７と頂壁２８を有している。底壁２７は前端２１から後端２９の略全長に亘っている。頂壁２８は、絶縁ハウジング２０の中間部から後端２９の範囲に延びている。
【００１５】
第１の端子４０と第２の端子６０は、りん青銅、ベリリウム銅などのばね性を有する金属薄板を打抜いてなるものである。第１の端子４０は、絶縁ハウジング２０の装着溝２４に前端２１側から装着されている。また、第２の端子６０は、絶縁ハウジング２０の装着溝２５に後端２９側から装着されている。
【００１６】
図１（ａ）に示されているように、第１の端子４０は、ＦＰＣ受入空洞２２の下部で、絶縁ハウジング２０の底壁２７に沿って延びる固定ビーム４１を有し、固定ビーム４１の前端部に半田テイル４２が形成されている。また、後端部には、係合部４３が立ち上げてあり、装着溝２４に挿入した第１の端子４０を固定できるようになっている。固定ビーム４１の後端側である係合部４３の近くから、片持ち梁状のフック状ビーム４４がＦＰＣ受入空洞２２の上部に延びるように設けてある。フック状ビーム４４は、中間部が略Ｖ字状の屈曲部４５とされ、先端部がフック部４６とされている。フック部４６は下側に開いている。
【００１７】
前記固定ビーム４１の中間部上縁には、コンタクト部４７が突出させてある。フック状ビーム４４の屈曲部４５によって形成された押下突部４８が、コンタクト部４７の上方で、絶縁ハウジング２０の後端２９側（ＦＰＣ１００の挿入方向ではコンタクト部４７の前方）に若干偏移した位置で対向するようにしてある。ＦＰＣ１００が挿入されておらず、端子４０、６０には負荷がかかっていない状態においては、押下突部４８とコンタクト部４７との間隔ｗ１は、ＦＰＣ受入空洞２２に挿入されるＦＰＣ１００の厚さｔに比べて狭く設定してある。
【００１８】
フック状ビーム４４の先端に設けたフック部４６は、コンタクト部４７の上方で、絶縁ハウジング２０の前端２１側に若干偏移している。
【００１９】
第２の端子６０は、図１（ｂ）に示されているように、係合部６１を基部に有し、装着溝２５に挿入した第２の端子６０を固定できるようになっている。係合部６１の下縁に半田テイル６２が設けられている。そして、係合部６１から片持ち梁状のコンタクトビーム６３とガイドビーム６４が二股状となって延びている。コンタクトビーム６３は、ＦＰＣ受入空洞２２の下部に延び、ガイドビーム６４がＦＰＣ受入空洞２２の上部に延びるようにしてある。ガイドビーム６４は、前記フック状ビーム４４と略同じか、それより若干短い長さを有し、先端部がフック部４６の中心近辺に位置するようにしてある。一方、コンタクトビーム６３は、ガイドビーム６４より長くしてあり、先端部の上側縁に突出させて形成したコンタクト部６５が、第１の端子４０のコンタクト部４７よりも前端２１（絶縁ハウジング２０の）側に位置するようにしてある。
【００２０】
第１の端子４０のコンタクト部４７と第２の端子６０のコンタクト部６５の位置をこのようにすることで、ＦＰＣ受入空洞２２の下部において、コンタクト部４７とコンタクト部６５が千鳥状に配置されている。
【００２１】
アクチュエータ８０は、絶縁ハウジング２０と同様の絶縁性のプラスチックを成形してなるもので、絶縁ハウジング２０の上面２３で開口しているＦＰＣ受入空洞２２を略塞ぐことのできる大きさの板状の形状をしている。図１、２に示したように、絶縁ハウジング２０の上面２３に略平行としたときには、前端部８１が絶縁ハウジング２０の前端２１を越えて前方に突出するようにしてある。
【００２２】
アクチュエータ８０の後端部８２には、ＦＰＣ受入空洞２２の上部に延びている第１の端子４０のフック状ビーム４４と、第２の端子６０のガイドビーム６４とにそれぞれ対応させて溝８３、８４が形成してあり、各溝と対応するビームを互いに嵌合させてアクチュエータ８０が組み付けられている。
【００２３】
フック状ビーム４４に対応させて設けた溝８３は、図１（ａ）に示すように、アクチュエータ８０の厚み方向で貫通する溝となっており、溝８３を横断するように係合ピン８５が設けてある。フック状ビーム４４のフック部４６と溝８３を嵌合した時に、係合ピン８５がフック部４６に収容されるようにしてある。係合ピン８５は、断面略円形とされて、周面が円弧面８５ａとなっているが、一側面に平坦面８５ｂが形成してある。フック部４６の最も深い部分に形成した水平下縁４６ａと、水平下縁４６ａの前方に略直角に連続している垂直前縁４６ｂに対応させたもので、平坦面８５ｂが水平下縁４６ａ及び垂直前縁４６ｂに対して一定の幅で面接触できるようにしてある。
【００２４】
一方、ガイドビーム６４に対応させて設けた溝８４は、図１（ｂ）に示すように、アクチュエータ８０の厚み方向で約半分の深さで形成されて貫通していない。ガイドビーム６４の縁と対向することになる溝８４の底面は屈曲して形成され、以下の説明で明らかとなるように、ガイドビーム６４の下側にもぐり込む接圧形成底面８４ａと、ガイドビーム６４の上側に乗り上げる乗り上げ底面８４ｂを構成している。
【００２５】
アクチュエータ８０の下面は、段状に形成されて、アクチュエータ８０の厚みが後端部８２で最も厚くなっており、後端部８２の下面をＦＰＣ１００に対する押圧部８６としている。この押圧部８６が、前記第１の端子４０のコンタクト部４７と第２の端子６０のコンタクト部６５の間に位置して、各コンタクト部４７、６５と対向するようにしてある。
【００２６】
ネイル１１は、ステンレススチール板その他の導電性金属板を打抜いて成形したもので、絶縁ハウジング２０の前端２１側から装着溝２６に挿入して固定されている。前端２１寄りに配置される基部１２から中間部１３を介して装着溝２６に係合する係合部１４が延びている。基部１２は、断面Ｌ字形とされて、下側に前記第１、第２の端子４０、６０の半田テイル４２、６２と共に同一面内に配置される半田テイル１５が形成されている。中間部１３は基部１２に比べて高さ方向で狭い幅とされて、それぞれの上縁１２ａ、１３ａが段状に連続させてある。基部１２の上縁１２ａの一部と、上縁１２ａより低くなっている中間部１２の上縁１３ａは、絶縁ハウジング２０の上面２３の方向に露出している。
【００２７】
前記アクチュエータ８０の両側端部に、ネイル１１の中間部１３に対応させたボス８７が突出させて設けてあり、アクチュエータ８０が組み付けられると、中間部１３の上縁１３ａとボス８７の周面が上下の方向で対向するようになっている。ボス８７は、断面が横長扁平の形状をしており、図１の無負荷状態では、下側の平坦周面８７ａがネイル１１の中間部１３上縁１３ａに載って互いに接するようにしてある。また、この状態で、アクチュエータ８０の係合ピン８５は、前記フック部４６に遊嵌状態で収容され、係合ピン８５の平坦面８５ｂはフック部４６の垂直前縁４６ｂと対向するようにしてある。即ち、このようなネイル１１の上縁１２ａとボス８７の周面の対向構造と、係合ピン８５をフック部４６に収容した構造が協働して、組み付けられたアクチュエータ８０の脱落が防止できるようにしてある。
【００２８】
図３〜図８は、上記のように構成されたＦＰＣ用コネクタ１０にＦＰＣ１００を接続する時の、アクチュエータ８０の姿勢変化を表している。ＦＰＣ１００を接続する場合、アクチュエータ８０は、図１の略水平の姿勢から図２の傾いた姿勢を経て図４の略垂直の姿勢とし、更に図５の傾いた姿勢にする。ＦＰＣ１００のＦＰＣ受入空洞２２への挿入は、アクチュエータ８０を図５の傾いた姿勢にして行う。ＦＰＣ１００を挿入した後は、アクチュエータ８０の姿勢変化の方向を図１〜図５の場合と反対にする。即ち、アクチュエータ８０を図６の略垂直の姿勢とした後、図７の傾いた姿勢を経て図８の略水平の姿勢としてＦＰＣ１００の接続を完了する。
【００２９】
アクチュエータ８０の姿勢を図３のように変化して行くと、アクチュエータ８０に設けたボス８７の側部に形成されている弧状周面８７ｂがネイル１１の中間部１３の上縁１３ａに対向して接するようになり、アクチュエータ８０は上方に移動しながら姿勢変化する。そして、アクチュエータ８０の後端部８２に形成した溝８４の乗り上げ底面８４ｂが第２の端子６０に設けたガイドビーム６４の上に乗り上げていく。ボス８７によるアクチュエータ８０の上方への移動が乗り上げ底面８４ｂのガイドビーム６４への乗り上げを円滑にしている。
【００３０】
アクチュエータ８０の姿勢が図４のように略垂直に変化すると、前記乗り上げ底面８４ｂがガイドビーム６４に更に乗り上げていき、ボス８７はネイル１１の上縁１３ａから離れて上方に移動する。そして、第１の端子４０のフック部４６に遊嵌していた係合ピン８５がフック部４６の水平下縁４６ａと平坦面８５ｂの部分で係合するようになり、フック状ビーム４４を上向きに少し弾性変形させる。フック状ビーム４４の弾性変形によって反力ｆ１が図４（ａ）のようにアクチュエータ８０に作用するが、これに対してガイドビーム６４からは図４（ｂ）のような反力ｆ２がアクチュエータ８０に作用して釣り合い状態が形成される。このような第１、第２の端子４０、６０から受ける反力の釣り合いと、前記係合ピン８５の平坦面８５ｂとフック部４６の水平下縁４６ａとの係合が相俟って、アクチュエータ８０は略垂直の状態まで姿勢変化させると、そこで停止してその状態を維持することが可能である。
【００３１】
ＦＰＣ１００をＦＰＣ受入空洞２２にゼロ挿入力で挿入できるようにするために、アクチュエータ８０は更に図５のように傾いた姿勢に変化させる。アクチュエータ８０をこの状態まで姿勢変化させると、前記乗り上げ底面８４ｂがガイドビーム６４に完全に乗り上げて、係合ピン８５がフック状ビーム４４を更に上方へ弾性変形させる。こうすることによって、フック状ビーム４４に形成した押下突部４８と第１の端子４０のコンタクト部４７の間隔ｗ２がＦＰＣ１００の厚みｔより広い間隔となり、図示のようにＦＰＣ１００をゼロ挿入力で挿入することが可能になる。図５のアクチュエータ８０の姿勢を挿入待機姿勢と呼ぶことができる。
【００３２】
ＦＰＣ１００の挿入を完了した後、アクチュエータ８０を図６の略垂直の姿勢まで戻す。図６のアクチュエータ８０が略垂直姿勢では、フック状ビーム４４の反力ｆ３が押下突部４８を介してＦＰＣ１００を押し下げると共に、アクチュエータ８０の後端部８２がＦＰＣ１００を押し下げて、第２の端子６０のコンタクトビーム６３を下方へ弾性変形させ、ＦＰＣ１００を挿入状態で仮保持する。
【００３３】
図６の仮保持状態では、アクチュエータ８０に対するコンタクトビーム６３の反力ｆ４と、これに対抗するガイドビーム６４の反力ｆ５が釣り合い状態となり、アクチュエータ８０の姿勢を停止状態で保持する。したがって、ＦＰＣ１００の仮保持状態が安定的に維持される。ＦＰＣ１００の挿入が不適切であったり、別の理由で、挿入、接続をやり直す必要が生じた場合、略垂直の姿勢のアクチュエータ８０を図５の傾いた挿入待機姿勢にすることで簡単にやり直しができ、接続作業の能率改善に寄与する。図６のアクチュエータ８０の姿勢を仮保持姿勢と呼ぶことができる。なお、本実施の形態では、第１の端子４０のコンタクト部４７と第２の端子６０のコンタクト部６５を千鳥状に配置しているが、コンタクト部４７と６５を幅方向において同一直線状に配置しても、本実施の形態と同様に仮保持を行うことができる。さらに、第１の端子４０と第２の端子６０を交互にハウジング２０に装着しているが、必ずしも交互に装着しなくても、本実施の形態と同様に仮保持を行うことができる。
【００３４】
仮保持したＦＰＣ１００を完全に接続する場合、アクチュエータ８０を図７の傾いた姿勢から図８の略水平の姿勢に変化させる。図８のアクチュエータ８０の姿勢が接続姿勢である。この接続姿勢では、第１の端子４０のフック状ビーム４４の押下突部４８がＦＰＣ１００を押し下げると共に、アクチュエータ８０に形成した溝８４の接圧形成底面８４ｂがガイドビーム６４の下側にもぐり込んで、押圧部８６が第１の端子４０のコンタクト部４７と第２の端子６０のコンタクト部６５の間でＦＰＣ１００を押し下げる。ＦＰＣ１００の接点と第１、第２の端子４０、６０のコンタクト部４７、６５の間で電気的接続に十分な接圧が形成される。
【００３５】
第１の端子４０のコンタクト部４７は固定ビーム４１の上縁に形成されて固定されているが、ＦＰＣ１００の挿入方向においてコンタクト部４７の前方の押下突部４８と、コンタクト部４７の後方の押圧部８６がＦＰＣ１００を押し下げるので、図９のような三点式の力関係が形成され、コンタクト部４７とＦＰＣ１００の接点の間に電気的接続に十分な接圧を安定して形成することができる。
【００３６】
第１の端子４０のコンタクト部４７を固定ビーム４１の上縁に固定接点として設けることは、ＦＰＣ用コネクタ１０の高さを低背化する上で有効である。一般には、図１０に示したように、固定ビーム４１にコンタクトビーム４１１を片持ち梁状に設けて、このコンタクトビーム４１１にコンタクト部４１２を設けるようにする。この場合、矢示４１３の範囲にコンタクトビーム４１１の変形ストロークを確保する必要があり、低背化を難しくしている。
【００３７】
図１１、１２は、フック状ビーム４４の形状を押下突部のない形状に変更し、絶縁ハウジング２０のＦＰＣ受入空洞２２にＦＰＣ１００の先端部を受け入れて保持できる凹入部３０を設けた実施形態を表している。他の部分は、前記の実施形態と同様であるので、同一部分には同一の符号を付して説明は省略する。
【００３８】
この実施形態でも、第１の端子４０のコンタクト部４７とＦＰＣ１００の接点の間で三点構造の力関係を形成することができ、コンタクト部４７を固定端として低背化に資するという利点を享受することができる。また、上記二つの実施の形態では、第１の端子４０と第２の端子６０を交互にハウジング２０に装着しているが、必ずしも交互に装着しなくても、低背化に資するという効果は有する。
【図面の簡単な説明】
【００３９】
【図１】この発明の実施形態のＦＰＣ用コネクタの図で、（ａ）は第１の端子に沿って示した断面図、（ｂ）は第２の端子に沿って示した断面図、（ｃ）はネイルに沿って示した断面図である。
【図２】この発明の実施形態のＦＰＣ用コネクタの斜視図である。
【図３】この発明の実施形態のＦＰＣ用コネクタのアクチュエータを姿勢変化した第１段階の図で、（ａ）は第１の端子に沿って示した断面図、（ｂ）は第２の端子に沿って示した断面図、（ｃ）はネイルに沿って示した断面図である。
【図４】同じく、アクチュエータを姿勢変化した第２段階の図で、（ａ）は第１の端子に沿って示した断面図、（ｂ）は第２の端子に沿って示した断面図、（ｃ）はネイルに沿って示した断面図である。
【図５】同じく、アクチュエータを姿勢変化した第３段階の挿入待機姿勢の図で、（ａ）は第１の端子に沿って示した断面図、（ｂ）は第２の端子に沿って示した断面図、（ｃ）はネイルに沿って示した断面図である。
【図６】同じく、アクチュエータを姿勢変化した第４段階の仮保持姿勢の図で、（ａ）は第１の端子に沿って示した断面図、（ｂ）は第２の端子に沿って示した断面図、（ｃ）はネイルに沿って示した断面図である。
【図７】同じく、アクチュエータを姿勢変化した第５段階の図で、（ａ）は第１の端子に沿って示した断面図、（ｂ）は第２の端子に沿って示した断面図、（ｃ）はネイルに沿って示した断面図である。
【図８】同じく、アクチュエータを姿勢変化した第６段階の接続姿勢の図で、（ａ）は第１の端子に沿って示した断面図、（ｂ）は第２の端子に沿って示した断面図、（ｃ）はネイルに沿って示した断面図である。
【図９】第１の端子のコンタクト部とＦＰＣの力関係を説明する図である。
【図１０】第１の端子のコンタクト部をコンタクトビームに設けた構造の説明図である。
【図１１】この発明の他の実施形態のＦＰＣ用コネクタの、第１の端子に沿って示した断面図である。
【図１２】同じく他の実施形態のＦＰＣ用コネクタの、ＦＰＣを挿入した状態における、第１の端子に沿って示した断面図である。
【符号の説明】
【００４０】
１０          ＦＰＣ用コネクタ
１１          ネイル
１２          基部
１２ａ        上縁
１３          中間部
１３ａ        上縁
１４          係合部
１５          半田テイル
２０          絶縁ハウジング
２１          前端
２２          ＦＰＣ受入空洞
２３          上面
２４          装着溝
２５          装着溝
２６          装着溝
２７          底壁
２８          頂壁
２９          後端
３０          凹入部
４０          第１の端子
４１          固定ビーム
４２          半田テイル
４３          係合部
４４          フック状ビーム
４５          屈曲部
４６          フック部
４６ａ        水平下縁
４６ｂ        垂直前縁
４７          コンタクト部
４８          押下突部
６０          第２の端子
６１          係合部
６２          半田テイル
６３          コンタクトビーム
６４          ガイドビーム
６５          コンタクト部
８０          アクチュエータ
８１          前端部
８２          後端部
８３          溝
８４          溝
８４ａ        接圧形成底面
８４ｂ        乗り上げ底面
８５          係合ピン
８５ａ        円弧面
８５ｂ        平坦面
８６          押圧部
８７          ボス
８７ａ        平坦周面
８７ｂ        弧状周面
１００        ＦＰＣ
【図１】
2006024373.tif 000003
【図２】
2006024373.tif 000004
【図３】
2006024373.tif 000005
【図４】
2006024373.tif 000006
【図５】
2006024373.tif 000007
【図６】
2006024373.tif 000008
【図７】
2006024373.tif 000009
【図８】
2006024373.tif 000010
【図９】
2006024373.tif 000011
【図１０】
2006024373.tif 000012
【図１１】
2006024373.tif 000013
【図１２】
2006024373.tif 000014